(57)【要約】      （修正有）【課題】検出効果が確保できる電気コネクタを提供する。【解決手段】収納穴が形成される絶縁性基部１と、絶縁性基部に固着される固定端子２０と、絶縁性基部の収納穴に収納される可動端子２１と、前記絶縁性基部に取り付けられる本体部３０とを備える。固定端子が、接続部及び第２半田接続部を具備する。可動端子は、押圧部と、押圧部から延在して前記固定端子の接続部と接離可能な接触部と、押圧部から延在する一対の弾力ビームと、絶縁性基部に保持される一対の当接部と、一方の当接部と連接する第１半田接続部と、を有する。前記本体部には、検出部材が挿入される挿入孔を有する。前記検出部材が挿入孔に挿入される時、前記可動端子の接触部２１７が固定端子の接続部２１０と接触して電気接続する。前記検出部材が前記可動端子の押圧部２１０を押圧する時、前記可動端子の接触部が検出部材の押圧によって前記固定端子の接続部から離れて、前記固定端子と電気接続しない。【選択図】図２
0003155963.tif 000002
【実用新案登録請求の範囲】
【請求項１】
検出部材が挿入される電気コネクタにおいて、
収納穴が形成される絶縁性基部と、
絶縁性基部に固着されるとともに、接続部及び第２半田接続部を具備する固定端子と、
絶縁性基部の収納穴に収納されるとともに、押圧部と、押圧部から延在して前記固定端子の接続部と接離可能な接触部と、押圧部から延在する一対の弾力ビームと、絶縁性基部に保持される一対の当接部と、一方の当接部と連接する第１半田接続部と、を有する可動端子と、
前記絶縁性基部に取り付けられるとともに、検出部材が挿入される挿入孔を有する本体部と、
を備え、前記検出部材が挿入孔に挿入される時、前記可動端子の接触部が固定端子の接続部と接触して電気接続し、かつ、前記検出部材が前記可動端子の押圧部を押圧する時、前記可動端子の接触部が検出部材の押圧によって前記固定端子の接続部から離れて、前記固定端子と電気接続しないことを特徴とする電気コネクタ。
【請求項２】
前記可動端子の一対の弾力ビームが、押圧部の両端から延在する第１弾力ビームと第２弾力ビームを具備するとともに、前記一対の当接部が第１当接部と第２当接部とを有し、前記可動端子が、第１弾力ビームから折り曲げられて前記第１当接部と連接する第１折曲部と、第２弾力ビームから折り曲げられて第２折曲部と連接する第２折曲部とを具備することを特徴とする請求項１に記載の電気コネクタ。
【請求項３】
前記第１当接部には定位孔が形成されるとともに、前記絶縁性基部には前記定位孔と係合する突出柱が設けられることを特徴とする請求項２に記載の電気コネクタ。
【請求項４】
前記第１折曲部と第２折曲部とは、それぞれ第１弾力ビームと第２弾力ビームの対向する両側から対向する方向に沿って延在して折り返して対応する第１、第２当接部と連接するとともに、可動端子の押圧部と接触部とが、弾力ビームと折曲部によって上下に弾力に移動できることを特徴とする請求項２に記載の電気コネクタ。
【請求項５】
前記絶縁性基部には一対の位置決め溝が形成されるとともに、前記固定端子には前記接続部から延在して位置決め溝に挿入される一対の位置決め部が設けられることを特徴とする請求項１に記載の電気コネクタ。
【請求項６】
前記可動端子の接触部が押圧部の一方の両側から延在するとともに、押圧部の他方の両側には前記接触部と対向する突出部が設けられることを特徴とする請求項１に記載の電気コネクタ。
【請求項７】
前記絶縁性基部には一対の溝部が形成されるとともに、前記本体部には前記一対の溝部と係合する一対の係止部が設けられ、かつ、前記電気コネクタは前記本体部が装入されるハウジングを具備することを特徴とする請求項１に記載の電気コネクタ。
【考案の詳細な説明】
【技術分野】
【０００１】
本考案は、電気コネクタに関し、特に、検出するためのスイッチ端子を具備する同軸コネクタに関するものである。
【背景技術】
【０００２】
従来技術の電気コネクタは、接地接点と信号接点とが設けられる高周波回路に装着される。前記電気コネクタは、絶縁性本体と、絶縁性本体に収納される固定端子と、ドーム状の可動端子と、絶縁性本体を覆う蓋体とを備える。可動端子が高周波回路の輸入端の信号接点と電気接続し、固定端子が高周波回路の輸出端の信号接点と電気接続する。可動端子には、可動部と連接部とが設けられる。固定端子には可動端子の連接部と接触するドーム部が設けられる。検出部材が電気コネクタに垂直に挿入される時、ドーム状の可動端子が反転して、連接部が固定端子のドーム部から離れる。可動端子が固定端子と電気接続しない。
【先行技術文献】
【特許文献】
【０００３】
【特許文献１】特開２００２‐０４２９９１号公報
【考案の概要】
【考案が解決しようとする課題】
【０００４】
前記電気コネクタの可動端子が検出部材の押圧によって反転することにより、固定端子から離れる。長期にわたって使用されると、ドーム状の可動端子が良好な弾力を具備しない。これにより、検出効果が確保できない。
【０００５】
そこで本考案は、上述される従来技術の問題に鑑み、検出効果が確保できる電気コネクタを提供することを目的とする。
【課題を解決するための手段】
【０００６】
前記目的を達成するために、本考案の電気コネクタは検出部材が挿入される。電気コネクタは、収納穴が形成される絶縁性基部と、絶縁性基部の収納穴に収納されるスイッチ端子と、前記絶縁性基部に取り付けられる絶縁性本体と、前記絶縁性本体を覆うハウジングとを備える。前記スイッチ端子は、第２半田接続部を具備する固定端子と、第１半田接続部を具備する補強端子と、前記固定端子と電気接続するとともに前記補強端子と接離可能な可動端子とを有する。前記絶縁性本体は検出部材が挿入される挿入孔を有する。前記検出部材が挿入される時、前記可動端子が補強端子と接触して電気接続する。前記検出端子が押圧する時、前記可動端子が検出部材の押圧によって前記補強端子から離れて、前記補強端子と電気接続しない。
【考案の効果】
【０００７】
従来技術と比べると、本考案は以下の長所を有する。本考案の電気コネクタが長期にわたって使用されたとしても、可動端子の可動部が検出部材の押圧操作によって、補強端子から容易に離れる。スイッチ端子の検出効果が確保できる。
【図面の簡単な説明】
【０００８】
【図１】本考案の電気コネクタの組立図である。
【図２】図１に示す電気コネクタの分解斜視図である。
【図３】図２に示す電気コネクタの別の分解斜視図である。
【図４】図２に示すスイッチ端子が絶縁性基部に装入される電気コネクタの部分組立図である。
【考案を実施するための形態】
【０００９】
図１〜図４に示すように、本考案の電気コネクタ５は、検出するための検出部材（図示せず）が挿入されるものであり、電気コネクタ５は、絶縁性基部１と、スイッチ端子２と、本体部３０と、ハウジング４０とを備える。
【００１０】
図２及び図３に示すように、絶縁性基部１が樹脂材料によって製造される。絶縁性基部１は、底壁１１と、底壁１１から延在する第１側壁１２１、第２側壁１２２と、第１側壁１２１と第２側壁１２２とを連接する一対の連接壁１３とを備える。絶縁性基部１には、前記底壁１１と、第１側壁１２１と、第２側壁１２２と、連接壁１３とによって包囲される収納穴１００が形成される。収納穴１００が絶縁性基部１の頂面１０から凹むように形成される。底壁１１には、収納穴１００に向かって突出する突出柱１０１と支持柱１０２とが設けられる。第１連接壁１２１には、前記収納穴１００を貫通する開口１４１が形成される。第２側壁１２２には、外表面から内へ凹むように凹所１４２が形成される。凹所１４２は第２側壁１２２に形成されるウェッジ状の凹溝１５を具備する。収納穴１００には、第２側壁１２２と連接する一対の凸状部片１６が設けられる。一対の凸状部片１６には、上下に延在する一対の位置決め溝１６０が形成される。底壁１１の底面には四つ係止溝１１０が形成される。
【００１１】
スイッチ端子２は、固定端子２０と、可動端子２１とを有する。固定端子２０は、片状の接続部２０１と、接続部２０１の両端から下向きに延在する一対の位置決め部２０２と、接続部２０１の側辺から延在する延在部２０３と、延在部２０３に設けられる半田接続部２０４とを備える。可動端子２１は、押圧部２１０と、押圧部２１０の一端から延在する第１弾力ビーム２１１１と、押圧部２１０の他端から延在する第２弾力ビーム２１１２とを備える。可動端子２１は、押圧部２１０の一方の両側から突出する片状の接触部２１７と、押圧部２１０の他方の両側から延在する片状の突出部２１８とを備える。可動端子２１は、第１弾力ビーム２１１１の後側から折り曲げられる第１折曲部２１２１と、第１折曲部２１２１から折り返る第１当接部２１３１と、第１当接部２１３１と連接する定位部２１４と、定位部２１４に形成される定位孔２１５と、定位部２１４に設けられる半田接続部２１６とを備える。可動端子２１は、第２弾力ビーム２１１２の前側から折り曲げられる第２折曲部２１２２と、第２折曲部２１２２から折り返る第２当接部２１３２とを有する。
【００１２】
本体部３は、円状のベース部３２と、ベース部３２から上向きに突出する柱状部３１とを備える。柱状部３１の中には、円錐状の挿入孔３１０が形成される。ベース部３２の底面には、凹部３２３が形成される。凹部３２３には、前記挿入孔３１０と貫通する貫通孔３１１が形成される。ベース部３２の底部には、下向きに突出する係止部３２１が設けられる。
【００１３】
ハウジング４０は、支持部４２と、支持部４２から上向きに延在する筒状部４１と、支持部４２と筒状部４１とを貫通する収納スペース４１０とを有する。支持部４２には複数の係止足４２１が設けられる。
【００１４】
図1〜図４に示すように、スイッチ端子２は絶縁性基部１に装着される。可動端子２１が絶縁性基部１の収納穴１００に収納される。可動端子２１の第１当接部２１３１と第２当接部２１３２とは絶縁性基部１の底壁１１に支持される。可動端子２１の定位孔２１５が絶縁性基部１の突出柱１０１と係合する。可動端子２１の半田接続部２１６が絶縁性基部１の開口１４１から外へ延出する。固定端子２０の位置決め部２０２が絶縁性基部１の位置決め溝１６０に嵌合する。可動端子２１の接触部２１０と押圧部２１７とが固定端子２０の接続部２０１に接触する。固定端子２０の半田接続部２０４が絶縁性基部１の凹所１４２から外へ延出する。本体部３０がハウジング４の底部から上向きに収納スペース４１０に向かって装入される。本体部３０の柱状部３１がハウジング４の収納スペース４１０に収納される。本体部３０の係止部３２１が絶縁性基部１の開口１４１と凹所１４２に係止する。ハウジング４が絶縁性基部１に取り付けられる。ハウジング４の係止足４２１が絶縁性基部１の係止溝１１０に係止する。電気コネクタ５が一体に製造される。
【００１５】
前記検出部材が挿入孔３１０に挿入されて貫通孔３１１を越えてスイッチ端子２の可動端子２１の押圧部２１０を接触する時、前記可動端子２１の接触部２１７が固定端子２０の接続部２０１と接触して電気接続する。検出部材がスイッチ端子２の可動端子２１の押圧部２１０を押圧する時、可動端子２の押圧部２１０が検出部材の押圧によって、下向きに移動する。可動端子２１の押圧部２１０の移動に従って、接触部２１７が固定端子２０の接続部２０１から離れて電気接続しない。これにより、電気接続するかどうかを検出できる。押圧される可動端子２１の押圧部２１０が支持柱１０２に支持される。
【００１６】
長期にわたって使用されても、可動端子２１の押圧部２１０が検出部材の押圧操作によって、固定端子２０から容易に離れる。スイッチ端子２の検出効果が確保できる。
【００１７】
以上、本考案について好ましい実施形態を参照して詳細に説明したが、実施形態はあくまでも例示的なものであり、これらに限定されるものではない。また上述の説明は、本考案に基づき成し得る細部の修正或いは変更などは、いずれも本考案の技術的範囲に属するものである。
【符号の説明】
【００１８】
１・・・絶縁性基部
１０・・・頂面
１００・・・収納穴
１０１・・・突出柱
１０２・・・支持柱
１１・・・底壁
１１０・・・係止溝
１２１・・・第１側壁
１２２・・・第２側壁
１３・・・連接壁
１４１・・・開口
１４２・・・凹所
１５・・・凹溝
１６・・・凸状部片
１６０・・・位置決め溝
２・・・スイッチ端子
２０・・・固定端子
２０１・・・接続部
２０２・・・位置決め部
２０３・・・延在部
２０４・・・半田接続部
２１・・・可動端子
２１０・・・押圧部
２１１１・・・第１弾力ビーム
２１１２・・・第２弾力ビーム
２１２１・・・第１折曲部
２１２２・・・第２折曲部
２１３１・・・第１当接部
２１３２・・・第２当接部
２１４・・・定位部
２１５・・・定位孔
２１６・・・半田接続部
２１７・・・接触部
２１８・・・突出部
３０・・・本体部
３１・・・柱状部
３１０・・・挿入孔
３１１・・・貫通孔
３２・・・ベース部
３２１・・・係止部
３２３・・・凹部
４０・・・ハウジング
４１・・・筒状部
４１０・・・収納スペース
４２・・・支持部
４２１・・・係止足
５・・・電気コネクタ  
【図１】
0003155963.tif 000003
【図２】
0003155963.tif 000004
【図３】
0003155963.tif 000005
【図４】
0003155963.tif 000006